(57)【要約】      （修正有）【課題】その正面に突出部を有する便器に向って小便を足す使用者に対し、その足を戴置すべき位置を指示するための足形シートを便器に対して一定の適切な位置に簡便に設置することができる足形シート設置具を提供する。【解決手段】正面突出部Ｐを有する便器Ｕ用足形シート設置具１の平面部には、これを使用する際に対向する便器Ｕに近い側から幅方向位置調整孔部２と、対向位置決め孔部３とが設けられている。幅方向位置調整孔部２は、便器Ｕの幅に応じて足形シートを設置する位置を調整するための孔部であって、便器Ｕの正面突出部Ｐに当接させた棒状部材Ｓの下端を挿通するための孔部であり、対向位置決め孔部３は、便器Ｕの正面突出部Ｐに対向して足形シートを設置する位置を決めるための孔部であって、便器Ｕの正面突出部Ｐに当接させた棒状部材Ｓの下端を挿通するための孔部である。【選択図】図２
0003201885.tif 000002
【実用新案登録請求の範囲】
【請求項１】
正面突出部を有する便器に向って小便を足す使用者に対し、その足を戴置すべき位置を指示するための足形シートを設置するための正面突出部を有する便器用の足形シート設置具であって、平板状の部材によって形成されていて、平面視左右対称の形状を為しており、その平面部には幅方向位置調整孔部及び／又は対向位置決め孔部が設けられており、該幅方向位置調整孔部は該便器の幅に応じて該足形シートを設置する位置を調整するための孔部であって、該便器の正面突出部に当接させた棒状部材の下端を挿通するための孔部であるとともに、該便器の幅方向に平行して細長い孔部であり、該対向位置決め孔部は該便器の正面突出部に対向して該足形シートを設置する位置を決めるための孔部であって、該便器の正面突出部に当接させた棒状部材の下端を挿通するための孔部であり、その両側面は足形シート位置決め部になっていて、該足形シート位置決め部は該足形シートの側面輪郭の一部に沿った形状を為していることを特徴とする正面突出部を有する便器用の足形シート設置具。
【請求項２】
請求項１に記載した正面突出部を有する便器用足形シート設置具であって、前記足形シート位置決め部が前記足形シートにおける後足部の側面輪郭の一部に沿った後足部形状及び／又は足形シートにおける前足部の側面輪郭の一部に沿った前足部形状を為していることを特徴とする正面突出部を有する便器用の足形シート設置具。
【請求項３】
請求項１又は２に記載した正面突出部を有する便器用足形シート設置具であって、前記幅方向位置調整孔部の近傍には前記便器の幅に応じて前記足形シートを設置する際の目安となる指標が付されていることを特徴とする正面突出部を有する便器用の足形シート設置具。
【考案の詳細な説明】
【技術分野】
【０００１】
本考案は、男性用小便器や洋式便器等のその正面に垂れ受け部等の突出部を有する便器に向って小便を足す使用者に対し、その足を戴置すべき位置を指示するための人の足裏の形状又は靴底の形状を模したシールやマット等の足形シートを該便器に対して一定の適切な位置に簡便に設置することができる足形シート設置具に関する。
【背景技術】
【０００２】
使用者が男性用小便器や洋式便器等のその正面に垂れ受け部等の突出部を有する便器から遠過ぎる場所に立ち該便器に向って小便を足すと、該小便が該便器の外側へと漏れ出してしまい、該便器の周囲を汚染してしまうことが多くある。そうすると、該便器の周囲を清掃するのに要する時間と労力が多大になる。反対に、使用者が該便器に近過ぎる場所に立ち該便器に向って小便を足すと、使用者が該便器に接触等してしまい、不快に思うことも多くある。
【０００３】
そこで、従来、その正面に突出部を有する便器の中でも特に男性用小便器に向って小便を足す使用者に対して、使用者の足を戴置すべき位置を指示するため、人の足裏の形状又は靴底の形状を模したシールやマット等の足形シートを男性用小便器に近傍の便所の床面に設置することが多数提案されている（例えば、特許文献１ないし３参照）。
【０００４】
また、上記のような態様で使用される足形シートとしては、芯材には合成紙を中心に配設し、表面側には模様などの印刷面を設け、さらにエンボス加工した塩ビラミネート層を形成するとともに、裏面側には両面粘着シートの片方の剥離片の剥離による粘着層を形成し、使用時には剥離片を剥離して床面上に左右一対添着させることができるようにした便器用足載置シート（例えば、特許文献４参照。）、プラスチックシート製の一対の足形状シート片の裏面に床面などに即時に取り付けられる接合部を設けた足位置指示シート（例えば、特許文献５参照。）、あるいは意匠を施したシール（例えば、特許文献６参照。）といったように種々の態様の足形シートが提案されている。
【先行技術文献】
【特許文献】
【０００５】
【特許文献１】特開２０１２−２４４４６号公報
【特許文献２】特開平０８−１１７１５３号公報
【特許文献３】実用新案登録第３１５５７７４号公報
【特許文献４】実用新案登録第３１３７６０１号公報
【特許文献５】実開平元−９５２００号公報
【特許文献６】意匠登録第１３３５２８９号公報
【考案の概要】
【考案が解決しようとする課題】
【０００６】
しかしながら、上記の従来技術に係る足形シートを正面突出部を有する便器に対して不適切な位置に設置してしまっては、せっかく使用者に対しその足を戴置すべき位置を指示しても、好適な効果を得ることはできない。即ち、該便器から遠過ぎる場所に足形シートを設置してしまっては、使用者が該足形シートの上に立ち該便器に向って小便を足すと該小便が該便器の外側に漏れ出してしまい、結局のところ該便器の周囲を汚染してしまうことになる。一方、該便器に近過ぎる場所に足形シートを設置してしまっては、使用者が該足形シートの上に立ち該便器に向って小便を足すと、使用者が該便器に接触等してしまい、結局のところ使用者が不快に思うことになる。特に、同型同大の便器であるにも拘らず、設置者が個々の便器に対してそれぞれ異なる位置に足形シートを設置してしまうと、このような問題が発生するのは顕著である。
【０００７】
ここで、足形シートを正面突出部を有する便器に対して一定の適切な位置に設置する手段としては、例えば、基部と前部とからなる施工板であって、該前部は多数の平行な折曲げ線を設けた矩形状の部材であり、該前部は平行な折曲げ線が設けられているとともに便器に対して足位置を決める足形切欠き部が設けられており該基部に対して約１５度内向きに折り曲げたくの字形の紙製の施工板が提案されている（例えば、特許文献５参照。）。即ち、設置者が、便器の大きさにあわせて該折曲げ線を折り曲げて該施工板の大きさを調節し、便器が取り付けられている便所の壁に該施工板の基端縁を接するともに、該施工板を便器の側面に沿って便所の床面に置くと、該足形切欠き部が足形シートを設置すべき適切な位置を示すことになるのである。
【０００８】
しかしながら、上記のような足形シートの設置具では、該足形シートを正面突出部を有する便器に対して一定の適切な位置へと設置する作業が非常に煩雑である。特に、百貨店やスーパーマーケット若しくはショッピングセンター等の各種の商業施設又はバスターミナルの待合室や鉄道の駅舎若しくは高速道路のサービスエリア等の各種の公共交通機関に所在する公衆便所のように多数の該便器が設置されている場所で上記のような足形シートの設置具を用いると、多大な時間と労力を要することになる。
【０００９】
そこで、本考案の解決しようとする課題は、その正面に突出部を有する便器に向って小便を足す使用者に対し、その足を戴置すべき位置を指示するための足形シートを該便器に対して一定の適切な位置に簡便に設置することができる足形シート設置具を提供することにある。
【課題を解決するための手段】
【００１０】
本考案は、上記の課題を解決するために提案されたものであり、以下の構成を有するものである。以下では、本考案の構成を理解するのを補助するため、本願に添付した図面に表示した番号及び符号をあわせて記載する。
【００１１】
請求項１に係る正面突出部を有する便器用足形シート設置具（１）は、正面突出部（Ｐ）を有する便器（Ｕ）に向って小便を足す使用者に対し、その足を戴置すべき位置を指示するための足形シート（Ｆ）を設置するための正面突出部を有する便器用の足形シート設置具であって、平板状の部材によって形成されていて、平面視左右対称の形状を為しており、その平面部には幅方向位置調整孔部（２）及び／又は対向位置決め孔部（３）が設けられている。即ち、幅方向位置調整孔部（２）は、便器（Ｕ）の幅に応じて足形シート（Ｆ）を設置する位置を調整するための孔部であって、便器（Ｕ）の正面突出部（Ｐ）に当接させた棒状部材（Ｓ）の下端を挿通するための孔部であり、便器（Ｕ）の幅方向に平行して細長い孔部である。また、対向位置決め孔部（３）は、便器（Ｕ）の正面突出部（Ｐ）に対向して足形シート（Ｆ）を設置する位置を決めるための孔部であって、便器（Ｕ）の正面突出部（Ｐ）に当接させた棒状部材（Ｓ）の下端を挿通するための孔部である。そして、正面突出部を有する便器用足形シート設置具（１）は、その両側面が足形シート位置決め部（４）になっており、足形シート位置決め部（４）は足形シート（Ｆ）の側面輪郭の一部に沿った形状を為している。
【００１２】
請求項２に係る正面突出部を有する便器用足形シート設置具（１）は、請求項１に記載した正面突出部を有する便器用足形シート設置具（１）であって、足形シート位置決め部（４）が足形シート（Ｆ）における後足部の側面輪郭の一部に沿った後足部形状（４ａ）及び／又は足形シート（Ｆ）における前足部の側面輪郭の一部に沿った前足部形状（４ｂ）を為している。
【００１３】
請求項３に係る正面突出部を有する便器用足形シート設置具（１）は、請求項１又は２に記載した正面突出部を有する便器用足形シート設置具（１）であって、幅方向位置調整孔部（２）の近傍には便器（Ｕ）の幅に応じて足形シート（Ｆ）を設置する際の目安となる指標（５）が付されている。
【考案の効果】
【００１４】
本考案に係る正面突出部を有する便器用足形シート設置具（１）は、上記の通りの構成であるから、以下のような効果を奏することができる。
【００１５】
まず、請求項１ないし３に記載した正面突出部を有する便器用足形シート設置具（１）は、平板状の部材によって形成されていて、その平面部には幅方向位置調整孔部（２）及び／又は対向位置決め孔部（３）が設けられている。
【００１６】
設置者は、正面突出部（Ｐ）を有する便器（Ｕ）の正面下部に正面突出部を有する便器用足形シート設置具（１）の便器（Ｕ）側を挿し入れて、便器（Ｕ）の正面突出部（Ｐ）に当接させた棒状部材（Ｓ）を正面突出部を有する便器用足形シート設置具（１）に対して略垂直になるようにし、その下端を幅方向位置調整孔部（２）に挿通する。設置者は、幅方向位置調整孔部（２）に棒状部材（Ｓ）の下端を挿通させた状態のままで正面突出部を有する便器用足形シート設置具（１）を便器（Ｕ）の幅方向に平行して適宜移動させることによって、便器（Ｕ）の幅に応じて足形シート（Ｆ）を設置すべき場所を調整することができる。
【００１７】
ここで、請求項３に記載した正面突出部を有する便器用足形シート設置具（１）は、幅方向位置調整孔部（２）の近傍に便器（Ｕ）の幅に応じて足形シート（Ｆ）を設置する際の目安となる指標（５）が付されているため、使用者が指標（５）を目安にして便器（Ｕ）の幅に応じて足形シート（Ｆ）を設置する位置を調整する作業を行い易くなり、好適である。
【００１８】
設置者は、便器（Ｕ）の正面突出部（Ｐ）に当接させた棒状部材（Ｓ）を正面突出部を有する便器用足形シート設置具（１）に対して略垂直になるようにし、その下端を対向位置決め孔部（３）に挿通することによって、便器（Ｕ）の正面突出部（Ｐ）に対向する足形シート（Ｆ）を設置する位置を決めることができる。
【００１９】
そして、請求項１ないし３に記載した正面突出部を有する便器用足形シート設置具（１）は、平面視左右対称の形状を為しており、その両側面は足形シート位置決め部（４）になっていて、足形シート位置決め部（４）は足形シート（Ｆ）の側面輪郭の一部に沿った形状を為している。即ち、設置者は、上記のようにして便所の床面に置いた正面突出部を有する便器用足形シート設置具（１）の足形シート位置決め部（４）に足形シート（Ｆ）の側面外縁を合わせて、便器（Ｕ）近傍の便所の床面に足形シート（Ｆ）を設置する。
【００２０】
そうすると、請求項１ないし３に記載した正面突出部を有する便器用足形シート設置具（１）を上記のように用いることによって、正面突出部（Ｐ）を有する便器（Ｕ）に対して一定の適切な位置に足形シート（Ｆ）を設置することができるため、使用者が足形シート（Ｆ）の上に立ち便器（Ｕ）に向って小便を足せば、便器（Ｕ）から遠過ぎて該小便が便器（Ｕ）の外側に漏れ出すことはなく、また、使用者が便器（Ｕ）に近付き過ぎて便器（Ｕ）に接触等してしまい不快に思うこともなくなるのである。特に同型同大の便器（Ｕ）であれば、正面突出部を有する便器用足形シート設置具（１）を用いることによって、設置者が個々の便器（Ｕ）に対してそれぞれ異なる位置に足形シート（Ｆ）を設置してしまうことがなくなって好適であるとともに、設置者による上記の一連の作業は極めて簡便になる。
【００２１】
従って、請求項１ないし３に記載した正面突出部を有する便器用足形シート設置具（１）は、その正面に突出部を有する便器に向って小便を足す使用者に対し、その足を戴置すべき位置を指示するための足形シートを該便器に対して一定の適切な位置に簡便に設置することができる足形シート設置具を提供するという本考案の解決しようとする課題を解決することができる。
【００２２】
特に、請求項２に記載した正面突出部を有する便器用足形シート設置具（１）は、足形シート位置決め部（４）が足形シート（Ｆ）における後足部の側面輪郭の一部に沿った後足部形状（４ａ）及び／又は足形シート（Ｆ）における前足部の側面輪郭の一部に沿った前足部形状（４ｂ）を為しているため、設置者が足形シート位置決め部（４）に足形シート（Ｆ）の側面外縁を一層正確に合わせ易くなり、便器（Ｕ）近傍の便所の床面に足形シート（Ｆ）を設置する作業を更に行い易くなって好適である。
【図面の簡単な説明】
【００２３】
【図１】本考案の第１実施形態に係る正面突出部を有する便器用足形シート設置具を示した平面図である。
【図２】本考案の第１実施形態に係る正面突出部を有する便器用足形シート設置具を用いて便器の幅に応じて足形シートを設置する位置を調整する作業を示した図である。
【図３】本考案の第１実施形態に係る正面突出部を有する便器用足形シート設置具を用いて便器の正面突出部に対向する足形シートを設置する位置を決める作業を示した図である。
【図４】図２及び３の作業により便所の床面に置いた正面突出部を有する便器用足形シート設置具に合わせて足形シートを便所の床面に設置する作業を示した図である。
【図５】図４の作業によって便所の床面に設置した足形シートを示した図である。
【図６】本考案の第２実施形態に係る正面突出部を有する便器用足形シート設置具を示した平面図である。
【図７】本考案の第２実施形態に係る正面突出部を有する便器用足形シート設置具を用いて便器の正面突出部に対向する足形シートを設置する位置を決める作業を示した図である。
【図８】図７の作業により便所の床面に置いた正面突出部を有する便器用足形シート設置具に合わせて足形シートを便所の床面に設置する作業を示した図である。
【図９】図８の作業によって便所の床面に設置した足形シートを示した図である。
【考案を実施するための形態】
【００２４】
以下に、本考案の第１実施形態に係る正面突出部を有する便器用足形シート設置具（１）について添付図面に基づいて説明する。まず、本考案の第１実施形態に係る正面突出部を有する便器用足形シート設置具（１）の構造について説明する。
【００２５】
本考案の第１実施形態に係る正面突出部を有する便器用足形シート設置具（１）は、図１に図示するように、平板状の部材によって形成されていて、平面視左右対称の形状を為している。正面突出部を有する便器用足形シート設置具（１）は、厚紙、木製の薄板、プラスチック板、金属製の薄板等で形成することができるが、便所の床面に置いて使用することになるため、防水性及び防汚性を備えた材料によって形成するのが好適である。
【００２６】
正面突出部を有する便器用足形シート設置具（１）の平面部には、これを使用する際に対向する便器（Ｕ）に近い側から幅方向位置調整孔部（２）と、対向位置決め孔部（３）とが設けられている。正面突出部を有する便器用足形シート設置具（１）の平面部において幅方向位置調整孔部（２）又は対向位置決め孔部（３）を設ける位置は、足形シート（Ｆ）をその近傍の便所の床面に設置する便器（Ｕ）の型式や大きさ等に応じて適宜変更することができる。また、幅方向位置調整孔部（２）及び対向位置決め孔部（３）は、図示するように双方設けることももちろん可能であるが、その必要と目的に応じていずれか一方のみ設けることも可能である。
【００２７】
幅方向位置調整孔部（２）は、便器（Ｕ）の幅に応じて足形シート（Ｆ）を設置する位置を調整するための孔部であって、便器（Ｕ）の正面突出部（Ｐ）に当接させた棒状部材（Ｓ）の下端を挿通するための孔部であり、便器（Ｕ）の幅方向に平行して細長い孔部である。
【００２８】
幅方向位置調整孔部（２）の近傍には便器（Ｕ）の幅に応じて足形シート（Ｆ）を設置する際の目安となる指標（５）が付されている。指標（５）は、図では正面突出部を有する便器向けの足形シート設置具（１）の中心線からの距離を示す目盛りであるが、便器（Ｕ）の製造元の名称や製品の名称等を記載することでもよい。
【００２９】
対向位置決め孔部（３）は、便器（Ｕ）の正面突出部（Ｐ）に対向して足形シート（Ｆ）を設置する位置を決めるための孔部であって、便器（Ｕ）の正面突出部（Ｐ）に当接させた棒状部材（Ｓ）の下端を挿通するための孔部である。
【００３０】
正面突出部を有する便器用足形シート設置具（１）は、その両側面が足形シート位置決め部（４）になっており、足形シート位置決め部（４）は足形シート（Ｆ）の側面輪郭の一部に沿った形状を為している。特に、足形シート位置決め部（４）が足形シート（Ｆ）における後足部の側面輪郭の一部に沿った後足部形状（４ａ）及び足形シート（Ｆ）における前足部の側面輪郭の一部に沿った前足部形状（４ｂ）とを為していると、設置者が足形シート位置決め部（４）に足形シート（Ｆ）の側面外縁を一層正確に合わせ易くなり、足形シート（Ｆ）を便所の床面に設置する作業を更に行い易くなって好適である。もっとも、足形シート位置決め部（４）の形状は、後足部形状（４ａ）及び前足部形状（４ｂ）の双方の形状を備えていてもよいが、いずれか一方の形状のみを備えていてもよく、また設置する足形シート（Ｆ）の側面輪郭にあわせて適宜変更することができる。
【００３１】
以上が、本考案の第１実施形態に係る正面突出部を有する便器用足形シート設置具（１）の構造についての説明である。次に、本考案の第１実施形態に係る正面突出部を有する便器用足形シート設置具（１）の使用態様について説明する。
【００３２】
まず、設置者は、図２に図示するように、正面突出部（Ｐ）を有する便器（Ｕ）の正面下部に正面突出部を有する便器用足形シート設置具（１）の便器（Ｕ）側を挿し入れて、便器（Ｕ）の正面突出部（Ｐ）にその側面を当接させた棒状部材（Ｓ）を正面突出部を有する便器用足形シート設置具（１）に対して略垂直になるようにし、その下端を幅方向位置調整孔部（２）に挿通する。尚、棒状部材（Ｓ）は、図では長尺の平板部材であるが、特にこれに限定されるものではなく、丸棒部材や角柱部材等であってもよい。
【００３３】
設置者は、幅方向位置調整孔部（２）に棒状部材（Ｓ）の下端を挿通させた状態のままで正面突出部を有する便器用足形シート設置具（１）を便器（Ｕ）の幅方向に平行して適宜移動させることによって、便器（Ｕ）の幅に応じて足形シート（Ｆ）を設置すべき場所を調整することができる。例えば、設置者は、右足用の足形シート（Ｆ）を設置する場合には、便器（Ｕ）の幅が広ければ正面突出部を有する便器用足形シート設置具（１）を便器（Ｕ）に対して右方向に移動させ、便器（Ｕ）の幅が狭ければ正面突出部を有する便器用足形シート設置具（１）を便器（Ｕ）に対して左方向に移動させることによって、便器（Ｕ）の幅に応じて足形シート（Ｆ）を設置する場所を調整することができるのである。
【００３４】
ここで、正面突出部を有する便器用足形シート設置具（１）は、幅方向位置調整孔部（２）の近傍に便器（Ｕ）の幅に応じて足形シート（Ｆ）を設置する際の目安となる指標（５）が付されているため、設置者が指標（５）を目安にして便器（Ｕ）の幅に応じて足形シート（Ｆ）を設置する位置を調整する作業を行い易くなり、好適である。例えば、前記の通り、指標（５）として便器（Ｕ）の製造元の名称又は製品の名称を記載しておけば、設置者は、棒状部材（Ｓ）が便器（Ｕ）の製造元の名称等の記載された指標（５）に合わさるように正面突出部を有する便器用足形シート設置具（１）を便器（Ｕ）の幅方向に平行して移動させることによって、簡便に便器（Ｕ）の幅に応じて足形シート（Ｆ）を設置する位置を調整する作業を行うことができる。
【００３５】
次に、設置者は、図３に図示するように、便器（Ｕ）の正面突出部（Ｐ）にその側面を当接させた棒状部材（Ｓ）を正面突出部を有する便器用足形シート設置具（１）に対して略垂直になるようにし、その下端を対向位置決め孔部（３）に挿通して、便器（Ｕ）の正面突出部（Ｐ）に対向する足形シート（Ｆ）を設置する位置を決める。以上のような作業を行うことによって、設置者は便所の床面の便器（Ｕ）に対して適切な位置に正面突出部を有する便器用足形シート設置具（１）を置くことができる。
【００３６】
そして、設置者は、図４に図示するように、上記のようにして便所の床面に置いた正面突出部を有する便器用足形シート設置具（１）の足形シート位置決め部（４）に足形シート（Ｆ）の側面外縁を合わせて、足形シート（Ｆ）を便所の床面に設置する。図示するように、足形シート（Ｆ）が後足部と前足部とを有する形状である場合には、足形シート（Ｆ）における後足部の側面外縁を後足部形状（４ａ）に合わせるとともに、足形シート（Ｆ）における前足部の側面外縁を前足部形状（４ｂ）に合わせて、便器（Ｕ）近傍の便所の床面に足形シート（Ｆ）を設置する。最後に、設置者は、上記の一連の作業が終了した後、正面突出部を有する便器用足形シート設置具（１）を便所の床面から撤去する。そうすると、同型同大の便器（Ｕ）であれば、設置者が個々の便器（Ｕ）に対してそれぞれ異なる位置に足形シート（Ｆ）を設置してしまうことがなくなって好適であるとともに、設置者による上記の一連の作業は極めて簡便である。
【００３７】
尚、正面突出部を有する便器用足形シート設置具（１）を用いて設置する足形シート（Ｆ）としては、足形に成形したポリオレフィン製シートを用いるのがよい。即ち、ポリオレフィン製シートは耐水性及び耐候性を備えているとともに粘着性を備えているため、便所の床面に設置する際は各種の接着剤を用いることなく強固に貼り付けることができるとともに、便所の床面から撤去する際も各種の剥離剤を用いることなく剥がし取ることができ、またその痕跡が残ることもない。また、ポリオレフィン製シートは印刷することも可能であるから、目立つ色彩や模様等を施すことによって、便器（Ｕ）の使用者に一層の注意を促すことができる足形シート（Ｆ）とすることもできる。更に、ポリオレフィン製シートはこれを焼却処分した際に二酸化炭素と水を生じるだけであるため、足形シート（Ｆ）を廃棄する際も環境に多大な負担をかけることがなく好適である。
【００３８】
そうすると、図５に図示するように、正面突出部を有する便器用足形シート設置具（１）を上記のようにして用いることによって、正面突出部（Ｐ）を有する便器（Ｕ）に対して一定の適切な位置に足形シート（Ｆ）を設置することができるため、使用者が足形シート（Ｆ）に立ち便器（Ｕ）に向って小便を足せば、便器（Ｕ）から遠過ぎて該小便が便器（Ｕ）の外側に漏れ出すことはなく、また、使用者が便器（Ｕ）に近付き過ぎて便器（Ｕ）に接触等してしまい不快に思うこともなくなるのである。
【００３９】
以上が、本考案の第１実施形態に係る正面突出部を有する便器用足形シート設置具（１）についての説明である。次に、本考案の第２実施形態に係る正面突出部を有する便器用足形シート設置具（１）について添付図面に基づいて説明する。尚、本考案の第２実施形態に係る正面突出部を有する便器用足形シート設置具（１）の構造及びその使用態様は、下記の事項以外、前記の本考案の第１実施形態に係る正面突出部を有する便器用足形シート設置具（１）の構造及びその使用態様と同一である。まず、本考案の第２実施形態に係る正面突出部を有する便器用足形シート設置具（１）の構造について説明する。
【００４０】
図７ないし９に図示するように、便器（Ｕ）の形状や据え付けの状態等によっては正面突出部（Ｐ）の下部にある空間がわずかしかない場合もあり、このような場合には正面突出部を有する便器用足形シート設置具（１）における便器（Ｕ）に対向する長さを短いものとせざるを得ない。
【００４１】
上記のような場合、図６に図示するように正面突出部を有する便器用足形シート設置具（１）の平面部には、適宜対向位置決め孔部（３）のみを設けることにしてもよい。対向位置決め孔部（３）は、便器（Ｕ）の正面突出部（Ｐ）に対向して足形シート（Ｆ）を設置する位置を決めるための孔部であって、便器（Ｕ）の正面突出部（Ｐ）に当接させた棒状部材（Ｓ）の下端を挿通するための孔部である。そして、便器（Ｕ）の幅に応じて足形シート（Ｆ）を設置する位置を調整するには、例えば異なる幅を有する複数の便器用足形シート設置具（１）を用意しておき、便器（Ｕ）の幅に応じて適宜選択して最適な幅を有する便器用足形シート設置具（１）を用いることができる。
【００４２】
正面突出部を有する便器用足形シート設置具（１）は、その両側面が足形シート位置決め部（４）になっており、足形シート位置決め部（４）は足形シート（Ｆ）の側面輪郭の一部に沿った形状を為している。即ち、足形シート位置決め部（４）が足形シート（Ｆ）における後足部の側面輪郭の一部に沿った後足部形状を為している。上記の通り、正面突出部を有する便器用足形シート設置具（１）における便器（Ｕ）に対向する長さを短いものとせざるを得ない場合もあるが、足形シート位置決め部（４）が後足部形状を為していれば、それに合わせて適切な位置に足形シート（Ｆ）を設置することができる。
【００４３】
以上が、本考案の第２実施形態に係る正面突出部を有する便器用足形シート設置具（１）の構造についての説明である。次に、本考案の第２実施形態に係る正面突出部を有する便器用足形シート設置具（１）の使用態様について説明する。
【００４４】
まず、設置者は、便器（Ｕ）の幅に応じて最適な幅を有する便器用足形シート設置具（１）を適宜選択する。そして、設置者は、図７に図示するように、正面突出部（Ｐ）を有する便器（Ｕ）の正面下部に正面突出部を有する便器用足形シート設置具（１）の便器（Ｕ）側を挿し入れる。
【００４５】
そして、設置者は、図７に図示するように、便器（Ｕ）の正面突出部（Ｐ）にその側面を当接させた棒状部材（Ｓ）を正面突出部を有する便器用足形シート設置具（１）に対して略垂直になるようにし、その下端を対向位置決め孔部（３）に挿通して、便器（Ｕ）の正面突出部（Ｐ）に対向する足形シート（Ｆ）を設置する位置を決める。
【００４６】
そして、設置者は、図８に図示するように、上記のようにして便所の床面に置いた正面突出部を有する便器用足形シート設置具（１）の足形シート位置決め部（４）に、足形シート（Ｆ）における後足部の側面外縁を足形シート位置決め部（４）に合わせて、便器（Ｕ）近傍の便所の床面に足形シート（Ｆ）を設置する。最後に、設置者は、上記の一連の作業が終了した後、正面突出部を有する便器用足形シート設置具（１）を便所の床面から撤去する。
【００４７】
そうすると、図９に図示するように、正面突出部を有する便器用足形シート設置具（１）を上記のようにして用いることによって、正面突出部（Ｐ）を有する便器（Ｕ）に対して一定の適切な位置に足形シート（Ｆ）を設置することができるため、使用者が足形シート（Ｆ）に立ち便器（Ｕ）に向って小便を足せば、便器（Ｕ）から遠過ぎて該小便が便器（Ｕ）の外側に漏れ出すことはなく、また、使用者が便器（Ｕ）に近付き過ぎて便器（Ｕ）に接触等してしまい不快に思うこともなくなるのである。
【符号の説明】
【００４８】
１  正面突出部を有する便器用足形シート設置具
２  幅方向位置調整孔部
３  対向位置決め孔部
４  足形シート位置決め部
４ａ  後足部形状
４ｂ  前足部形状
５  指標
Ｕ  便器
Ｐ  正面突出部
Ｆ  足形シート
Ｓ  棒状部材
【図１】
0003201885.tif 000003
【図２】
0003201885.tif 000004
【図３】
0003201885.tif 000005
【図４】
0003201885.tif 000006
【図５】
0003201885.tif 000007
【図６】
0003201885.tif 000008
【図７】
0003201885.tif 000009
【図８】
0003201885.tif 000010
【図９】
0003201885.tif 000011